(57)【要約】【課題】  梁ＰＣａ部材を柱上の所定の位置に設置した後に行う上端筋を横引きする移動作業を移動治具の採用によって簡易にすると共に、移動治具の転用を容易にする梁ＰＣａ上端筋の施工方法とその移動治具を提供する。【解決手段】  本発明は、梁ＰＣａ４に上端筋７を仮留めしておき、梁ＰＣａ４を柱１に配置した後に、上端筋７を移動させ対峙する上端筋同士を結合させて所定の位置に緊結する梁ＰＣａ上端筋の施工において、上端筋７を梁方向に移動させる移動治具５を隣接する剪断補強筋６間に渡し、移動治具５を構成して剪断補強筋６と平行に取り外し可能に装着される送りローラー１１上に上端筋７を仮留めしておき、上端筋７を移動させて結合した後に剪断補強筋６に緊結し、しかる後に、移動治具５を剪断補強筋６から取り外し撤去して転用する。【選択図】  図２
2005188076.tif 000002
【特許請求の範囲】
【請求項１】
梁ＰＣａに上端筋を仮留めしておき、該梁ＰＣａを柱に配置した後に、該上端筋を移動させ対峙する上端筋同士を結合させて所定の位置に緊結する梁ＰＣａ上端筋の施工方法であって、上端筋を梁方向に移動させる移動治具を隣接する剪断補強筋間に渡し、該移動治具を構成して剪断補強筋と平行に取り外し可能に装着される送りローラー上に上端筋を仮留めしておき、上端筋を移動させて結合した後に剪断補強筋に緊結し、しかる後に、該移動治具を剪断補強筋から取り外して撤去することを特徴とする梁ＰＣａ上端筋の施工方法。
【請求項２】
隣接する剪断補強筋間に渡される支持板、該支持板に直交させて支持板との間に所定の間隙を保って配置される送りローラー、該ローラーの一端を回転可能に軸支し該支持板の一側に取り外し可能に係合される第１垂下板、該ローラーの他端を回転可能で取り外し自在に係合し該支持板の他側に固定される第２垂下板から構成される梁ＰＣａ上端筋の移動治具。
【発明の詳細な説明】
【技術分野】
【０００１】
本発明は、梁ＰＣａ上端筋の施工方法とその移動治具に関し、特に、梁ＰＣａ上端筋の移動を容易にして柱・梁結合部の施工効率を向上させる梁ＰＣａ上端筋の施工方法とその移動治具に関する。
【背景技術】
【０００２】
下端筋をコンクリート中に内蔵させた梁ＰＣａ部材を柱上に設置する場合、梁ＰＣａ部材を荷揚げする前に上端筋を梁ＰＣａ部材に予め仮留めしておき、梁ＰＣａ部材を柱上の所定の位置に設置した後に、上端筋の仮留めを外して横引きしながら所定の位置に移動させて、相対する上端筋と結合させている。（例えば、特許文献1を参照）
【０００３】
しかるに、上端筋の移動は、人力によって1本毎に横引きしていたために、その作業には、複数の作業員と多くの手間を必要とし、柱・梁結合部の施工において最も効率の良くない要因になっており、多くの時間と労力を要していた。
【０００４】
【特許文献１】特公昭４９‐４４７２３号公報（第１頁、左欄第３３行〜右欄第第２９行、図２、）
【発明の開示】
【発明が解決しようとする課題】
【０００５】
本発明は、上記の問題点に鑑みてこれを解決するために提案するものであり、梁ＰＣａ部材を柱上の所定の位置に設置した後に行う上端筋を横引きする移動作業を移動治具の採用によって簡易にすると共に、移動治具の転用を容易にする梁ＰＣａ上端筋の施工方法とその移動治具を提供している。
【課題を解決するための手段】
【０００６】
本発明による梁ＰＣａ上端筋の施工方法は、梁ＰＣａに上端筋を仮留めしておき、梁ＰＣａを柱に配置した後に、上端筋を移動させ対峙する上端筋同士を結合させて所定の位置に緊結する梁ＰＣａ上端筋の施工方法において、上端筋を梁方向に移動させる移動治具を隣接する剪断補強筋間に渡し、移動治具を構成して剪断補強筋と平行に取り外し可能に装着される送りローラー上に上端筋を仮留めしておき、上端筋を移動させて結合した後に剪断補強筋に緊結し、しかる後に、移動治具を剪断補強筋から取り外して撤去しており、梁ＰＣａ上端筋の移動を容易にして柱・梁結合部の施工効率を向上させている。
【０００７】
又、本発明による梁ＰＣａ上端筋の移動治具は、隣接する剪断補強筋間に渡される支持板と、支持板に直交させて支持板との間に所定の間隙を保って配置される送りローラーと、送りローラーの一端を回転可能に軸支し支持板の一側に取り外し可能に係合される第１垂下板及び送りローラーの他端を回転可能で取り外し自在に係合し支持板の他側に固定される第２垂下板から構成しており、移動治具の剪断補強筋への配置、送りローラーへの梁ＰＣａ上端筋の仮留め、梁ＰＣａ上端筋の移動と結合後の剪断補強筋への緊結、送りローラーの支持板からの取り外し及び支持板の剪断補強筋からの取り外しを容易にしている。
【発明の効果】
【０００８】
本発明による梁ＰＣａ上端筋の施工方法は、梁ＰＣａに上端筋を仮留めしておき、梁ＰＣａを柱に配置した後に、上端筋を移動させ対峙する上端筋同士を結合させて所定の位置に緊結する梁ＰＣａ上端筋の施工方法において、上端筋を梁方向に移動させる移動治具を隣接する剪断補強筋間に渡し、移動治具を構成して剪断補強筋と平行に取り外し可能に装着される送りローラー上に上端筋を仮留めしておき、上端筋を移動させて結合した後に剪断補強筋に緊結し、しかる後に、移動治具を剪断補強筋から取り外して撤去するので、梁ＰＣａ上端筋の移動を容易にして柱・梁結合部の施工効率を向上させる効果を発揮している。
【０００９】
又、本発明による梁ＰＣａ上端筋の移動治具は、隣接する剪断補強筋間に渡される支持板と、支持板に直交させて支持板との間に所定の間隙を保って配置される送りローラーと、送りローラーの一端を回転可能に軸支し支持板の一側に取り外し可能に係合される第１垂下板及び送りローラーの他端を回転可能で取り外し自在に係合し支持板の他側に固定される第２垂下板から構成しているので、移動治具の剪断補強筋への配置、送りローラーへの梁ＰＣａ上端筋の仮留め、梁ＰＣａ上端筋の移動と結合後の剪断補強筋への緊結、送りローラーの支持板からの取り外し及び支持板の剪断補強筋からの取り外しを容易にする効果を発揮している。
【発明を実施するための最良の形態】
【００１０】
本発明による梁ＰＣａ上端筋の施工方法は、梁ＰＣａに上端筋を仮留めしておき、梁ＰＣａを柱に配置した後に、上端筋を移動させ対峙する上端筋同士を結合させて所定の位置に緊結する梁ＰＣａ上端筋の施工方法において、上端筋を梁方向に移動させる移動治具を隣接する剪断補強筋間に渡し、移動治具を構成して剪断補強筋と平行に取り外し可能に装着される送りローラー上に上端筋を仮留めしておき、上端筋を移動させて結合した後に剪断補強筋に緊結し、しかる後に、移動治具を剪断補強筋から取り外して撤去させている。
以下に、本発明による梁ＰＣａ上端筋の施工方法に関する実施の形態を図面に基づいて詳細に説明する。
【実施例１】
【００１１】
図１は、本発明の梁ＰＣａ上端筋の施工方法を適用する柱・梁結合部の施工概要を示す実施の形態図である。図において、柱１の上端には、左右からの梁ＰＣａ部材２、３が既に載置されて相互の下端筋を結合させており、これらに直行する方向の梁ＰＣａ部材４が、柱１の上端に載置されようとしている。梁ＰＣａ部材４には、２個の移動治具５、５が隣接する剪断補強筋６、６間の上に渡されており、移動治具５、５のそれぞれには所定数の上端筋７が仮留めされている。
【００１２】
又、図２は、図１の移動治具５を拡大して示しており、本発明による梁ＰＣａ上端筋の移動治具に関する実施の形態を示す斜視図である。
即ち、本発明の移動治具は、隣接する剪断補強筋間に渡される支持板と、支持板に直交させて支持板との間に所定の間隙を保って配置される送りローラーと、送りローラーの一端を回転可能に軸支し支持板の一側に取り外し可能に係合される第１垂下板及び送りローラーの他端を回転可能で取り外し自在に係合し支持板の他側に固定される第２垂下板から構成されている。
【００１３】
実施の形態に示す梁ＰＣａ上端筋の移動治具５は、図示のように隣接する剪断補強筋６、６間に渡されている。移動治具５を構成している支持板８は、相対して平行に配置される2個のＬ型鋼９、９とこのＬ型鋼９、９間を所定の間隔に支持する保持材１０、１０から構成されており、支持板８には、これに直交させる送りローラー１１が、支持板８との間に所定の間隙を保った形態で取り外し自在に配置されている。
【００１４】
尚、移動治具５を構成している支持板８については、本実施の形態のように平行配置の2個のＬ型鋼９、９とＬ型鋼９、９間を支持する保持材１０、１０から構成することに限定されるものでなく、剪断補強筋６、６間に渡されて上端筋７と送りローラー１１等を支持できるだけの強度を確保できるものであれば、平板のような他の形態であっても適宜に適用できるものである。
【００１５】
又、送りローラー１１は、梁ＰＣａ部材４に用いる複数の上端筋７を受けて、梁ＰＣａ部材４の吊り上げ時には上端筋７を仮留めすると共に、柱１の上端に梁ＰＣａ部材４を載置した後には仮留めを解いて上端筋７を横引き移動させるものである。このために、送りローラー１１の一方の軸端１２は、第１の垂下板１３に回転可能に軸支されており、第１の垂下板１３は、その上端側に直角に曲げた係合部１３−１を備えることで、支持板８の一側に在るＬ型鋼９に取り外し自在に係合出来るように構成されている。又、送りローラー１１の他方の軸端１４は、第２の垂下板１５に回転可能で取り外し自在に係合軸支されており、第２の垂下板１５は、その上端側に直角に曲げた係合部１５−１を備えることで、支持板８の他側に在るＬ型鋼９に溶接等で固着されている。
【００１６】
従って、上端筋７が仮留めされたり、横引き移動されたりする状態での送りローラー１１は、上端筋７の自重によって加圧されているので、第１の垂下板１３に対してはＬ型鋼９に押圧するように作用すると同時に、送りローラー１１の他方の軸端１４を第２の垂下板１５に対して係合軸支する態様に機能しており、上端筋７の仮留めと横引き移動とを安定的に実施できるように稼動している。
【００１７】
次の図３〜６は、本発明の梁ＰＣａ上端筋の施工方法を順次に示す実施の形態図である。
図３は、剪断補強筋の上に移動治具を装備して上端筋を仮留めした梁ＰＣａ部材を柱の上端に載置した柱・梁結合部の平面図であり、図４は、図３を（４）−（４）矢視した断面図である。
【００１８】
図３の平面図が示すように、柱１の上端には、左右からの梁ＰＣａ部材２、３が既に載置されて相互の下端筋を結合させており、梁ＰＣａ部材４、４は、これらの梁ＰＣａ部材２、３に直行する方向から柱１の上端に載置された状態にある。梁ＰＣａ部材４、４は、２個の移動治具５、５を配置されており、各移動治具５、５の送りローラー１１の上には、図４の断面図が示すように所定数の上端筋７が配置された状態で仮留めされている。
尚、本実施の形態における梁ＰＣａ部材４は、中央部分に窪み１６を形成しているが、これによって梁ＰＣａ部材４の重量を削減してハンドリングを簡易にしている。さらに、必要な場合には、窪み１６の底部１７に図示していない梁主筋を追加設置することで、上下端筋の中間に梁主筋を配置するダブル配筋をも形成できるものであるが、この際には、送りローラー１１の上に追加の梁主筋も同時に仮留めして置き、横引き移動させた上端筋７を持ち上げて剪断補強筋６に結束させた後に、後述するように送りローラー１１を取り外しながら梁主筋を降下させて、所定位置の剪断補強筋に緊結することになる。
【００１９】
図５、６は、本発明に従って梁ＰＣａ上端筋を施工する工程を示しており、図５は、上端筋を剪断補強筋に結束する工程を説明するために梁ＰＣａ部材の移動治具を部分的に示している。
【００２０】
図５−１は、図５−２を（５−１）−（５−１）矢視した断面図であり、同図における梁ＰＣａ上端筋７は、仮留めを解除された後に移動治具５によって所定の位置に横引き移動されたものであり、しかる後に、梁ＰＣａ上端筋７は移動治具５の送りローラー１１から持ち上げられて所定位置の剪断補強筋６に結束されている。
【００２１】
従って、この段階での送りローラー１１とこれを軸支している第１の垂下板１３には、荷重が全く加えられていないものであり、第１の垂下板１３は、係合しているＬ型鋼９から容易に取り外せる状態にある。同様に、送りローラー１１の他方の軸端１４も、係合軸支している第２の垂下板１５に対して、何らの圧接状態にない。そこで、送りローラー１１の他方の軸端１４は、第２の垂下板１５から自由に取り外しできる状態にある。
【００２２】
図５−１を（５−２）矢視している図５−２の立面図と図５−３の平面図に明示されているように、第１の垂下板１３は、その上端側に備えている係合部１３−１を支持板８の一側に在るＬ型鋼９に係合させているが、係合部１３−１は、Ｌ型鋼９の上面に所定の間隔で溶接止めされている移動止め片９−１、９−１間に配置されているので、送りローラー１１は上端筋７の横引き方向には移動制限されているが、移動止め片９−１、９−１間の上方には、容易に取り外せる構成になっている。
【００２３】
一方の第２の垂下板１５は、その上端側に備えている係合部１５−１を支持板８の一側に在るＬ型鋼９に係合させながら溶接等で固着されているので、送りローラー１１の他方の軸端１４を係合軸支している第２の垂下板１５によって上端筋７の横引き方向に移動制限されている。送りローラー１１の他方の軸端１４は、第２の垂下板１５に対して回転可能で取り外し自在に係合軸支されているが、取り外し自在の機構については図６において説明する。
【００２４】
図６は、上端筋を剪断補強筋に緊結した後に移動治具を撤去する工程を説明するために示す断面図（ａ）と立面図（ｂ）である。断面図（ａ）は、立面図（ｂ）の（ａ）−（ａ）矢視図であり、立面図（ｂ）は、断面図（ａ）の（ｂ）矢視図である。
【００２５】
送りローラー１１の他方の軸端１４は、その端部に下方に偏在させた抜け止め片１７を装備しており、第２の垂下板１５の嵌合孔１８に挿入されると共に、下方に移行されることで抜け止め片１７の偏在部分を嵌合孔１８の周辺に係合させて第２の垂下板１５から抜け出ないように構成されている。又、嵌合孔１８は、その形状を軸端１４の端部に設けられた抜け止め片１７を通過させる大きさに形成しており、抜け止め片１７との係合関係を確立させている。
【００２６】
本工程では、上端筋７を剪断補強筋６に結束し終えて無荷重状態に成った送りローラー１１を上方に持ち上げるものであり、これによって、第２の垂下板１５に形成している嵌合孔１８の周辺から送りローラー１１の他方の軸端１４に設けた抜け止め片１７の偏在部分を取り外している。この段階では、第１の垂下板１３もその上端側に備えた係合部１３−１を支持板８のＬ型鋼９から浮上させており、第１の垂下板１３とＬ型鋼９との係合状態を解消している。
【００２７】
次いでの操作は、送りローラー１１と第１の垂下板１３とを、断面図（ａ）の右方に移動させながら図示のように上端筋７をかわすことで、支持板８から取り外すものであり、これらのかわし操作は、立面図(ｂ)に示すように第２の垂下板１５と移動止め片９−１、９−１の間との位置から外した場所で行っても良く、極めて簡易に行えるものである。
しかして、送りローラー１１と第１の垂下板１３とを撤去した後は、隣接する剪断補強筋６、６間の上に渡されている移動治具５の支持板８を簡単に取り外すことが可能であることから、上端筋の施工と移動治具の転用が極めて簡潔容易である。
【００２８】
以上のように、本発明による梁ＰＣａ上端筋の施工方法とその移動治具は、上記実施の形態で説明したように構成されているので、梁ＰＣａ部材を柱上の所定の位置に設置した後に行う上端筋の横引き移動作業を簡易にすると共に、移動治具の転用を容易にすることで、梁ＰＣａ上端筋の施工を低コスト、短工期で実施できるものである。
【００２９】
以上、本発明を各実施の形態に基づいて詳細に説明してきたが、本発明による梁ＰＣａ上端筋の施工方法とその移動治具は、上記実施の形態に何ら限定されるものでなく、梁ＰＣａ部材の具体的な形状や剪断補強筋の形態等に関して、本発明の趣旨を逸脱しない範囲において種々の変更が可能であることは当然のことである。
【産業上の利用可能性】
【００３０】
本発明の梁ＰＣａ上端筋の施工方法とその移動治具は、梁ＰＣａ上端筋の移動を容易にし、移動治具の転用を簡易にすることで、柱・梁結合部のコスト低減と施工効率の向上を図っている。
【図面の簡単な説明】
【００３１】
【図１】本発明の梁ＰＣａ上端筋の施工方法を適用する柱・梁結合部の施工概要図
【図２】本発明による梁ＰＣａ上端筋の移動治具を示す斜視図
【図３】本発明の梁ＰＣａ上端筋の施工方法を適用する柱・梁結合部の平面図
【図４】本発明の梁ＰＣａ上端筋の施工方法を示す実施の形態の断面図
【図５−１】梁ＰＣａ上端筋を剪断補強筋に結束する実施の形態の断面図
【図５−２】梁ＰＣａ上端筋を剪断補強筋に結束する実施の形態の立面図
【図５−３】梁ＰＣａ上端筋を剪断補強筋に結束する実施の形態の平面図
【図６】梁ＰＣａ上端筋の移動治具を撤去する工程図
【符号の説明】
【００３２】
１  柱、  ２、３、４  梁ＰＣａ部材、  ５  移動治具、  ６  剪断補強筋、
７  上端筋、  ８  支持板、  ９  Ｌ型鋼、  ９−１  移動止め片、
１０  保持材、  １１  送りローラー、  １２  一方の軸端、
１３  第１の垂下板、  １３−１  係合部、  １４  他方の軸端、
１５  第２の垂下板、  １５−１  係合部、  １６  窪み、
１７  抜け止め片、  １８  嵌合孔、
【図１】
2005188076.tif 000003
【図２】
2005188076.tif 000004
【図３】
2005188076.tif 000005
【図４】
2005188076.tif 000006
【図５−１】
2005188076.tif 000007
【図５−２】
2005188076.tif 000008
【図５−３】
2005188076.tif 000009
【図６】
2005188076.tif 000010